(57)【要約】【課題】食材を段階的に加熱しながら撹拌して調理を行うといった複雑な調理を容易に行わせることができる加熱撹拌調理システムを提供すること。【解決手段】本発明では、加熱撹拌調理システム(1)において、中空状のドラム(6)の内部に投入した食材を撹拌機構(10)で撹拌するとともに加熱機構(9)で加熱することで食材を調理する加熱撹拌調理装置(2,3)を搬送装置(4)を介して前後に連設し、各加熱撹拌調理装置(2,3)のドラム(6)を前高後低状に角度調節可能に傾斜させて配置して、連接した複数の加熱撹拌調理装置(2,3)を用いて食材を連続して投入し調理することにした。また、搬送装置(4)で搬送される食材に新たな食材を追加可能とすることにした。さらに、前側の加熱撹拌調理装置(2)又は／及び後側の加熱撹拌調理装置(3)に複数の加熱機構(9)をドラム(6)に沿って設け、ドラム(6)の内部の加熱温度を部分的に調節することができるようにした。【選択図】図１
2019150353.tif 000002
【特許請求の範囲】
【請求項１】
中空状のドラムの内部に投入した食材を撹拌機構で撹拌するとともに加熱機構で加熱することで食材を調理する加熱撹拌調理装置を搬送装置を介して前後に連設し、各加熱撹拌調理装置のドラムを前高後低状に角度調節可能に傾斜させて配置して、連設した複数の加熱撹拌調理装置を用いて食材を連続して投入し調理することを特徴とする加熱撹拌調理システム。
【請求項２】
前記搬送装置で搬送される食材に新たな食材を追加可能としたことを特徴とする請求項１に記載の加熱撹拌調理システム。
【請求項３】
前記前側の加熱撹拌調理装置又は／及び後側の加熱撹拌調理装置に複数の加熱機構を前記ドラムに沿って設け、前記ドラムの内部の加熱温度を部分的に調節することができるようにしたことを特徴とする請求項１又は請求項２に記載の加熱撹拌調理システム。
【発明の詳細な説明】
【技術分野】
【０００１】
本発明は、食材を加熱しながら撹拌することで調理を行う加熱撹拌調理システムに関するものである。
【背景技術】
【０００２】
従来より、炒めものや炒飯などのように食材を加熱しながら撹拌することで調理を行うための装置として、加熱調理装置が広く用いられている。
【０００３】
この加熱調理装置は、基台に中空円筒状のドラムを一方向へ回転可能に取付けるとともに、基台にドラムの内部を加熱するための加熱機構を取付けた構成となっている。
【０００４】
そして、従来の加熱調理装置では、中空円筒状のドラムの内部に食材を投入し、密閉したドラムを回転させながら加熱機構でドラムを外部から加熱することで、ドラムの内部の食材を加熱及び撹拌しながら調理するようにしている（たとえば、特許文献１参照。）。
【先行技術文献】
【特許文献】
【０００５】
【特許文献１】特開２００９−１５４００１号公報
【発明の概要】
【発明が解決しようとする課題】
【０００６】
ところが、上記従来の加熱調理装置では、密閉したドラムの内部で食材が調理（加熱及び撹拌）されるために、ドラムの内部に投入した食材を単にまとめて炒める程度の調理であれば問題はないが、たとえば、炒飯のように、玉子と御飯とを加熱しながら撹拌することで炒めた後に、新たに具材を添加し、さらに新たに添加した具材とともに既に炒めた御飯等を加熱しながら撹拌することで再び炒めるなどといった段階的に加熱や撹拌を行う複雑な調理には適さないものであった。
【課題を解決するための手段】
【０００７】
そこで、請求項１に係る本発明では、加熱撹拌調理システムにおいて、中空状のドラムの内部に投入した食材を撹拌機構で撹拌するとともに加熱機構で加熱することで食材を調理する加熱撹拌調理装置を搬送装置を介して前後に連設し、各加熱撹拌調理装置のドラムを前高後低状に角度調節可能に傾斜させて配置して、連設した複数の加熱撹拌調理装置を用いて食材を連続して投入し調理することにした。
【０００８】
また、請求項２に係る本発明では、前記請求項１に係る本発明において、前記搬送装置で搬送される食材に新たな食材を追加可能とすることにした。
【０００９】
また、請求項３に係る本発明では、前記請求項１又は請求項２に係る本発明において、前記前側の加熱撹拌調理装置又は／及び後側の加熱撹拌調理装置に複数の加熱機構を前記ドラムに沿って設け、前記ドラムの内部の加熱温度を部分的に調節することができるようにした。
【発明の効果】
【００１０】
そして、本発明では、以下に記載する効果を奏する。
【００１１】
すなわち、本発明では、加熱撹拌調理システムにおいて、中空状のドラムの内部に投入した食材を撹拌機構で撹拌するとともに加熱機構で加熱することで食材を調理する加熱撹拌調理装置を搬送装置を介して前後に連設し、各加熱撹拌調理装置のドラムを前高後低状に角度調節可能に傾斜させて配置して、連設した複数の加熱撹拌調理装置を用いて食材を連続して投入し調理することにしているために、食材を段階的に加熱しながら撹拌して調理を行うことができ、複雑な調理を容易に行わせることができる。
【００１２】
特に、搬送装置で搬送される食材に新たな食材を追加可能とすることで、調理の途中で食材を添加することができ、より一層複雑な調理を容易に行わせることができる。
【００１３】
また、前側の加熱撹拌調理装置又は／及び後側の加熱撹拌調理装置に複数の加熱機構をドラムに沿って設け、ドラムの内部の加熱温度を部分的に調節することで、調理の途中で加熱温度を異ならせることができるので、これによってもより一層複雑な調理を容易に行わせることができる。
【図面の簡単な説明】
【００１４】
【図１】本発明に係る加熱撹拌調理システムを示す側面図。
【図２】同平面図。
【図３】加熱撹拌調理装置を示す側面図。
【図４】同平面図。
【図５】同正面図。
【図６】同背面図。
【発明を実施するための形態】
【００１５】
以下に、本発明に係る加熱撹拌調理システムの具体的な構成について図面を参照しながら説明する。
【００１６】
図１及び図２に示すように、加熱撹拌調理システム１は、複数台（ここでは、２台）の加熱撹拌調理装置2,3を前後に並べて連設するとともに、加熱撹拌調理装置2,3の間に搬送装置４を介設した構成としている。
【００１７】
そして、加熱撹拌調理システム１は、前側の加熱撹拌調理装置２の前側から食材を投入し、その食材を前側の加熱撹拌調理装置２で加熱しながら撹拌して前半の調理を行い、その後、前側の加熱撹拌調理装置２の後側から搬送装置４に前半の調理を終えた食材を転出し、搬送装置４で搬送し（新たに食材を加えてもよい）、食材を搬送装置４から後側の加熱撹拌調理装置３の前側に投入し、その食材を後側の加熱撹拌調理装置３で加熱しながら撹拌して後半の調理を行い、その後、調理を終えた食材を後側の加熱撹拌調理装置３の後側から搬出するようにしている。
【００１８】
前側の加熱撹拌調理装置２と後側の加熱撹拌調理装置３は、食材を加熱しながら撹拌して調理することができる構成となっていればよく、それぞれ異なる構成となっていてもよいが、ここでは、長さの異なる同様な構成の加熱撹拌調理装置2,3を用いている。そのため、前側の加熱撹拌調理装置２の構成について以下に説明する。また、搬送装置４は、前側の加熱撹拌調理装置２から後側の加熱撹拌調理装置３に食材を搬送することができる構成となっていればよく、ここでは、上方を開放させたベルトコンベア式の搬送装置４を用いて新たに食材を添加することができる構成としている。そのため、搬送装置４の詳細な構成については説明を省略する。なお、搬送装置４は、前側の加熱撹拌調理装置２の後端部で支持されていてもよく、或は、後側の加熱撹拌調理装置３の前端部で支持されていてもよく、また、独立した基台で支持されていてもよい。
【００１９】
加熱撹拌調理装置２は、図３〜図６に示すように、基台５の上部に前後方向に向けて伸延する中空円筒状のドラム６を左右揺動可能に設けている。基台５には、ドラム６を上下に傾動させる傾動機構７と、ドラム６を左右に揺動させる揺動機構８と、ドラム６の内部を加熱する加熱機構９とが設けられており、ドラム６には、内部で食材を撹拌する撹拌機構10が設けられている。なお、傾動機構７や揺動機構８や加熱機構９や撹拌機構10は、制御機構で適宜制御されるようになっている。
【００２０】
ドラム６は、上方を開口させたパン部11と、パン部11の開口を開閉するカバー部12とで形成している。パン部11は、前後一対の半円板状の前後壁の間に半円弧断面を有する側壁を取付けてることで下方に向けて凸状のハーフパイプ形状となっている。カバー部12は、前後一対の半円板状の前後壁の間に半円弧断面を有する側壁を取付けることで上方に向けて凸状のハーフパイプ形状となっている。これにより、ドラム６は、パン部11とカバー部12とで中心軸線を前後方向に伸延させた中空円筒形状となっている。このドラム６には、前端部に食材の投入口を形成するとともに後端部に食材の排出口を設けている。また、このドラム６には、パン部11に対してカバー部12を開閉するための開閉機構を設けて自動的にカバー部12を開閉できるようにしてもよい。
【００２１】
傾動機構７は、基台５を床等に設置する固定台13とその固定台13に上下傾動可能に取付けた傾動台14とで構成し、固定台13の後端上部に傾動台14の後端下部をヒンジ15を介して取付けている。傾動台14には、ドラム６が左右揺動可能に設けられている。これにより、傾動台14（ドラム６）は、固定台13に対して後端部を中心にして前端部が上下に傾動できるようになっている。
【００２２】
また、傾動機構７は、傾動台14の前端部に左右一対のシリンダ16,16を取付け、各シリンダ16のロッドの下端に転動輪17を取付けている。各シリンダ16のロッドは、傾動台14を貫通している。また、転動輪17は、固定台13の上面で移動可能となっている。これにより、シリンダ16のロッドを伸縮することで傾動台14ごとドラム６を上下に傾動させることができるようになっている。
【００２３】
そして、傾動機構７は、シリンダ16のロッドを伸長させることで、ドラム６を前高後低状に傾斜した状態とすることができ、シリンダ16のロッドの伸縮によってドラム６の前高後低状の傾斜角度を調節することができるようになっている。なお、ドラム６の傾斜角度を調節することで、食材がドラム６の前端部から後端部まで移動する時間を調節することができ、これにより、ドラム６の内部での食材の調理時間を調節することができる。
【００２４】
揺動機構８は、傾動台14の左右側前後端部に４本の支柱18を設けるとともに、左側又は右側の前後一対の支柱18,18の間に前後方向に向けて伸延させた円筒状のローラ19を回転自在に取付け、左右のローラ19の上部にドラム６を載置している。
【００２５】
また、揺動機構８は、傾動台14の前端中央上部に駆動モータ20を取付けるとともに、駆動モータ20に駆動ギヤ21を取付け、一方、ドラム６のパン部11の前側外周部に半円弧状の従動ギヤ22を取付け、駆動ギヤ21と従動ギヤ22とを噛合させている。
【００２６】
そして、揺動機構８は、駆動モータ20を左右に所定角度範囲で往復して回動させることで、基台５（傾動台14）に対してドラム６を左右方向に揺動させることができるようになっている。
【００２７】
加熱機構９は、傾動台14の上部にドラム６のパン部11の下方を被覆するケーシング23を取付けるとともに、ケーシング23の内部に複数台（ここでは、３台）のマット型のバーナ（加熱装置）をドラム６に沿って並べて収容している。なお、バーナには、燃料供給管や排気ダクトなどが接続されている。
【００２８】
この加熱機構９は、傾動台14の上部に固定されており、ドラム６とともに上下に傾動するが、ドラム６だけが加熱機構９から独立して左右に揺動するようになっている。
【００２９】
そして、加熱機構９は、ドラム６のパン部11を加熱することで、ドラム６の内部を加熱することができ、火力を調節することで加熱温度を調節することができるようになっている。しかも、加熱機構９は、ドラム６に沿って複数のマット型のバーナを設けることで、ドラム６の内部の加熱温度をドラム６の伸延方向（食材の搬送方向）に沿って部分的に調節することができるようになっている。
【００３０】
撹拌機構10は、ドラム６のパン部11の前後壁の間にドラム６の中心軸線と平行に前後方向に伸延する回動軸24を回動自在に取付け、回動軸24の前端部にドラム６の前端部に固定した駆動モータ25を接続するとともに、回動軸24の中途部に前後に間隔をあけて複数本（ここでは、７本）のアーム26の基端部を取付け、各アーム26の先端部に撹拌羽27を取付けている。
【００３１】
そして、撹拌機構10は、駆動モータ25を駆動して回動軸24を回動させることで、撹拌羽27でドラム６の内部に投入された食材を撹拌させることができるようになっている。
【００３２】
加熱撹拌調理装置2,3は、以上に説明したように構成している。なお、上記加熱撹拌調理装置2,3は、本発明を適用した一実施例に過ぎず、傾動機構７や揺動機構８や加熱機構９や撹拌機構10やそれらを制御する制御機構などの具体的な構成は上記構成に限られず適宜設計されるものである。
【００３３】
そして、図１及び図２に示すように、加熱撹拌調理システム１では、中空状のドラム６の内部に投入した食材を撹拌機構10で撹拌するとともに加熱機構９で加熱することで食材を調理する加熱撹拌調理装置2,3を搬送装置４を介して前後に連設し、各加熱撹拌調理装置2(3)のドラム６を前高後低状に角度調節可能に傾斜させて配置して、連設した複数の加熱撹拌調理装置2,3を用いて食材を連続して投入し調理する構成となっている。
【００３４】
そのため、上記構成の加熱撹拌調理システム１では、たとえば炒飯のように、前側の加熱撹拌調理装置２において玉子と御飯とを加熱しながら撹拌することで炒めた後に、搬送装置４において新たに肉や野菜などの具材を添加し、さらに新たに添加した具材とともに既に炒めた御飯等を後側の加熱撹拌調理装置３において加熱しながら撹拌することで再び炒めるなどといった調理を行うことができるので、食材を段階的に加熱しながら撹拌して調理を行うことができ、複雑な調理を容易に行わせることができる。
【００３５】
また、上記加熱撹拌調理システム１は、搬送装置４で搬送される食材に新たな食材を追加可能とした構成となっている。
【００３６】
そのため、上記構成の加熱撹拌調理システム１では、調理の途中で食材を添加することができ、より一層複雑な調理を容易に行わせることができる。
【００３７】
また、上記加熱撹拌調理システム１は、前側の加熱撹拌調理装置２又は／及び後側の加熱撹拌調理装置３に複数の加熱機構９をドラム６に沿って設けた構成となっている。
【００３８】
そのため、上記構成の加熱撹拌調理システム１では、ドラム６の内部の加熱温度を部分的に調節することで、調理の途中で加熱温度を異ならせることができるので、これによってもより一層複雑な調理を容易に行わせることができる。
【００３９】
さらに、上記加熱撹拌調理システム１は、前側の加熱撹拌調理装置２のドラム６の長さと後側の加熱撹拌調理装置３のドラム６の長さとを異ならせた構成となっている。なお、ここでは、前側の加熱撹拌調理装置２のドラム６の長さを後側の加熱撹拌調理装置３のドラム６の長さよりも長くしている。
【００４０】
そのため、上記構成の加熱撹拌調理システム１では、調理の前半と後半とで調理時間や加熱温度を異ならせることができるので、これによってもより一層複雑な調理を容易に行わせることができる。
【符号の説明】
【００４１】
１  加熱撹拌調理システム                2,3  加熱撹拌調理装置
４  搬送装置                            ５  基台
６  ドラム                              ７  傾動機構
８  揺動機構                            ９  加熱機構
10  撹拌機構                            11  パン部
12  カバー部                            13  固定台
14  傾動台                              15  ヒンジ
16  シリンダ                            17  転動輪
18  支柱                                19  ローラ
20  駆動モータ                          21  駆動ギヤ
22  従動ギヤ                            23  ケーシング
24  回動軸                              25  駆動モータ
26  アーム                              27  撹拌羽
【図１】
2019150353.tif 000003
【図２】
2019150353.tif 000004
【図３】
2019150353.tif 000005
【図４】
2019150353.tif 000006
【図５】
2019150353.tif 000007
【図６】
2019150353.tif 000008
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
中空状のドラムの内部に投入した食材を撹拌機構で撹拌するとともに加熱機構で加熱することで食材を調理する加熱撹拌調理装置を搬送装置を介して前後に連設し、各加熱撹拌調理装置のドラムを前高後低状に角度調節可能に傾斜させて配置して、連設した複数の加熱撹拌調理装置を用いて食材を連続して調理する加熱撹拌調理システムにおいて、前後の加熱撹拌調理装置のドラムの長さを異ならせたことを特徴とする加熱撹拌調理システム。
【請求項２】
前記搬送装置で搬送される食材に新たな食材を追加可能としたことを特徴とする請求項１に記載の加熱撹拌調理システム。
【請求項３】
前記前側の加熱撹拌調理装置又は／及び後側の加熱撹拌調理装置に複数の加熱機構を前記ドラムに沿って設け、前記ドラムの内部の加熱温度を部分的に調節することができるようにしたことを特徴とする請求項１又は請求項２に記載の加熱撹拌調理システム。
【手続補正２】
【補正対象書類名】明細書
【補正対象項目名】０００７
【補正方法】変更
【補正の内容】
【０００７】
そこで、請求項１に係る本発明では、中空状のドラムの内部に投入した食材を撹拌機構で撹拌するとともに加熱機構で加熱することで食材を調理する加熱撹拌調理装置を搬送装置を介して前後に連設し、各加熱撹拌調理装置のドラムを前高後低状に角度調節可能に傾斜させて配置して、連設した複数の加熱撹拌調理装置を用いて食材を連続して調理する加熱撹拌調理システムにおいて、前後の加熱撹拌調理装置のドラムの長さを異ならせることにした。